(57)【要約】【課題】  ケーブルを保持するためのグランド部の半田付けを使用しないためケーブルの屈曲性を損なうことがなくコネクタの直近くにおいても問題なく曲げることが可能であるコネクタを提供すること。【解決手段】  ケーブル５０と接続するコネクタ１０１において、ケーブル５０を整列保持する保持部材１０，１１を備えている。前記保持部材１０，１１は、本体部１０と、棒状部材１１とを有する。前記本体部１０は、前記棒状部材１１を保持固定する複数の固定部３を有し、前記本体部１０と、前記棒状部材１１とにより、ケーブル５０を挟持した。【選択図】      図１
2006049261.tif 000002
【特許請求の範囲】
【請求項１】
ケーブルと接続するコネクタにおいて、前記コネクタは、前記ケーブルを整列保持する保持部材を備え、前記保持部材は、第１の保持部材と、第２の保持部材とを有し、前記第１の保持部材は、前記第２の保持部材を保持固定する複数の固定部を有し、前記第１の保持部材と、前記第２の保持部材とにより、前記ケーブルを挟持したことを特徴とするコネクタ。
【請求項２】
請求項１記載のコネクタにおいて、前記第１の保持部材は、本体部を備え、前記第２の保持部材は、棒状部材を備え、前記本体部と、前記棒状部材とにより、前記ケーブルを挟持したことを特徴とするコネクタ。
【請求項３】
請求項２記載のコネクタにおいて、前記ケーブルはグランドを挟み持つことによって、前記保持部材と前記ケーブルとを機械的に保持し、かつ電気的に接続するようにしたことを特徴とするコネクタ。
【請求項４】
請求項２記載のコネクタにおいて、前記コネクタはシェルを有し、前記本体部は突部を有し、前記シェルと前記突部により、前記ケーブルを蛇行状に挟持したことを特徴とするコネクタ。
【請求項５】
請求項１記載のコネクタにおいて、前記第１の保持部材は、下側プレートを備え、前記第２の保持部材は、上側プレートを備え、前記上側及び下側プレートの少なくともどちらか一方には、中央部に凸部を持ち、その両側に上側及び下側プレートが相対する固定部を持ち、更に前記上側及び下側プレートの少なくともどちらか一方には、ケーブル支持部を持つことを特徴としたコネクタ。
【請求項６】
請求項５記載のコネクタにおいて、前記ケーブルはグランドを挟み持つことによって、前記保持部材と前記ケーブルとを機械的に保持し、かつ電気的に接続するようにしたことを特徴とするコネクタ。
【請求項７】
請求項５記載のコネクタにおいて、前記下側プレート又は上側プレートの中央部凸部に相対した反対側プレートの中央部が溝となっていることを特徴としたコネクタ。
【請求項８】
請求項５記載のコネクタにおいて、中央部に凸部を有する上側及び下側のいずれかのプレートに相対するもう一方のプレートが、左右独立して構成されていることを特徴としたコネクタ。
【請求項９】
請求項１に記載のコネクタにおいて、前記第１の保持部材は、中央部に突状部を有し、突状部近傍の固定部間にケーブル逃げ部を有していることを特徴とするコネクタ。
【発明の詳細な説明】
【技術分野】
【０００１】
本発明はコネクタに関し、詳しくは、細線同軸ケーブルを保持する構造を備えたコネクタに関する。
【背景技術】
【０００２】
従来，電気コネクタにおいて、複数本の同軸ケーブルを保持する構造としては、図２５に示される構造がある（特許文献１、参照）。図２５を参照すると、同軸ケーブル用コネクタ１１０は、所定ピッチで列状に配置された複数本の同軸ケーブル７２〜７５の各外部導体７２ｂ〜７５ｂと電気的に接続するものである。この同軸ケーブル用コネクタ１１０において、外被部７２ｄ〜７５ｄが切除され、外部導体７２ｂ〜７５ｂが露出した各同軸ケーブル７２〜７５のこれら外部導体７２ｂ〜７５ｂを、それぞれ嵌着支承する断面Ｕ字形の端子６２〜６５を列状に一体配置し、外部導体７２ｂ〜７５ｂと端子６２〜６５との嵌着により、外部導体７２ｂ〜７５ｂと端子６２〜６５とを電気的に一括接続する構成である。また、外皮部７２ｄ〜７５ｄを切除せず、外皮部７２ｄ〜７５ｄの接続部分付近を加熱するか、端子列状配置部材６６を加熱して、所定ピッチで水平に配列された同軸ケーブル７２〜７５の各端末７２ａ〜７５ａを外皮部７２ｄ〜７５ｄを切除することなく、対応する端子部６２〜６５に夫々嵌着する。その際に、溶融した外皮部７２ｄ〜７５ｄから露出した各外部導体７２ａ〜７５ａが対応する端子７２〜７５と接触して、両者の電気接続が一括して図られる構造である。このように、この従来の同軸ケーブル用コネクタ１１０は、複数本の同軸ケーブルのグランド接続が容易で、しかも確実なグランド接続を図ることができるという利点を備えている。
【０００３】
また、図２６は従来の他の例によるケーブルコネクタを示す図である（特許文献２、参照）。図２７は、同軸ケーブル５０にグランドバー８８を設けた状態を示す側面図である。
【０００４】
図２６を参照すると、ケーブル用コネクタ１１１は、複数本の細い同軸ケーブル５０を纏めた細線同軸タイプのケーブル５０と接続するためのものであり、細線同軸ケーブル５０の中心導体または芯線５１に接続されるために左右に一列に配列された多数本の導電性のコンタクト８２と、これらのコンタクト８２を固定保持したインシュレータ８３と、このインシュレータ８３を覆ったシェル８４とを備えている。コンタクト８２はインシュレータ８３に圧入により固定される。
【０００５】
シェル８４は、インシュレータ８３に固定保持された金属製の第１のシェル部品８５と、インシュレータ８３に前後のスライドを伴って着脱自在なように保持された金属製の第２のシェル部品８６とを備えている。第１のシェル部品８５はコンタクト８２の接触部８２ａに対応するようにインシュレータ８３の下面を覆い、第２のシェル部品８６はインシュレータ８３の比較的後部に嵌合したものであり、インシュレータ８３と協働して同軸ケーブル５１の被覆部５４を挟み付けて保持するための保持部８７を有している。第２のシェル部品８６は第１のシェル部品８５の外側表面に接触している。
【０００６】
図２７を参照すると、複数本の同軸ケーブル５０を外部導体（シールド線）５３を露出させた状態で平面的に並べ、その外部導体５３の部分を金属製の対のグランドバー８８で挟み込み、加熱しながら半田付けして、外部導体５３を一括してグランドバー８８に電気的に接続する。しかも、複数本の細線同軸ケーブル５０が平面的に配列された状態を保つ。各細線同軸ケーブル５０の先端には、中心導体５１が露出されている。
【０００７】
上述した処理を施した細線同軸ケーブル５０をコネクタに接続するには、先ず第２のシェル部品８６をインシュレータ８３から取り外して第２のシェル部品８６の開口８６ａにグランドバー８８と共に同軸ケーブル５０を通す。
【０００８】
次に、グランドバー８８をインシュレータ８３の凹所８３ａに配置し、同軸ケーブル５０の中心導体５１をコンタクト８２の接続部８２ｂに載せて半田付けする。さらに、第２のシェル部品８６をインシュレータ８３に嵌合させ、第１のシェル部品８５に接触させて、図２６に示す構造を得る。なお、第２のシェル部品８６は、インシュレータ８３の係合凸部８３ｂにより係止される。この結果、グランドバー８８はインシュレータ８３及び第２のシェル部品８６により凹所８３ａ内に保持され、また、第２のシェル部品８６の保持部８７がインシュレータ８３の対応部分８３ｃと協働して細線同軸ケーブル５０の被覆部５４を挟み付けて保持される。
【０００９】
このように、従来のコネクタにおいては、細線同軸ケーブル５０の外被部５４がない状態での外部導体５３を上下から金属板で挟む様に加熱しながら半田付けしている。
【００１０】
しかしながら、従来のコネクタにおいて、細線同軸ケーブル５０の外部導体５３は、半田付けを用いて電気的にも接続、機械的にも保持されているが、半田が金属板、例えば、グランドバー８８で接続すべき範囲だけに留まらず、図２１の白抜きの矢印９１で示すように外部導体５３を伝いケーブル５０の引出し方向にまで上がってしまい、半田が上がった範囲においては、細線同軸ケーブル５０の屈曲性が損なわれる。
【００１１】
実際に、コネクタ実装後の使用時、前記の半田が上がっている範囲でケーブルを無理に曲げると外部導体５３が破断してしまう。
【００１２】
また、グランドバー８５の表面はコネクタに設けられた金属製外郭部品と電気的に接触するが、半田付けする際にフラックスを使用するため、接触不良が発生しやすい。金属板もグランドバーの代りに用いることができるが、同様に、半田付けする際にフラックスを使用するために接触不良が発生し易い。
【００１３】
同軸線の外部導体は、従来、半田を用いて電気的にも接続、機械的にも保持されているが、外部導体に半田が濡れて伝わるため、半田が上がった範囲においてはケーブルの屈曲性が損なわれるという問題がある。この問題を解決する為に半田を用いずに同軸線の外部導体を接続する構造を発明を提案するものである。
【００１４】
【特許文献１】特開平１１−２６０４３９号公報
【特許文献２】特開２００１−３０９８２２号公報
【発明の開示】
【発明が解決しようとする課題】
【００１５】
そこで、本発明の一技術的課題は、ケーブルを保持するためのグランド部の半田付けを使用しないためケーブルの屈曲性を損なうことがなくコネクタの直近くにおいても問題なく曲げることが可能であるコネクタを提供することにある。
【００１６】
また、本発明のもう一つの技術的課題は、ケーブルを保持するためのグランド部の半田付け工程が不要であり、半田付けに用いるフラックスなどの絶縁物が付着することがないため洗浄工程など不要で安定して電気的に接触が可能であるコネクタを提供することにある。
【００１７】
また、本発明の更にもう一つの技術的課題は、グランド部の半田付けを用いなくとも従来と同等のケーブル保持力が得られるコネクタを提供することにある。
【課題を解決するための手段】
【００１８】
本発明によれば、ケーブルと接続するコネクタにおいて、前記コネクタは、前記ケーブルを整列保持する保持部材を備え、前記保持部材は、第１の保持部材と、第２の保持部材とを有し、前記第１の保持部材は、前記第２の保持部材を保持固定する複数の固定部を有し、前記第１の保持部材と、前記第２の保持部材とにより、前記ケーブルを挟持したことを特徴とするコネクタが得られる。
【００１９】
また、本発明によれば、前記コネクタにおいて、前記第１の保持部材は、本体部を備え、前記第２の保持部材は、棒状部材を備え、前記本体部と、前記棒状部材とにより、前記ケーブルを挟持したことを特徴とするコネクタが得られる。
【００２０】
また、本発明によれば、前記コネクタにおいて、前記ケーブルはグランドを挟み持つことによって、前記保持部材と前記ケーブルとを機械的に保持し、かつ電気的に接続するようにしたことを特徴とするコネクタが得られる。
【００２１】
また、本発明によれば、前記コネクタにおいて、前記コネクタはシェルを有し、前記本体部は突部を有し、前記シェルと前記突部により、前記ケーブルを蛇行状に挟持したことを特徴とするコネクタが得られる。
【００２２】
また、本発明によれば、前記コネクタにおいて、前記第１の保持部材は、下側プレートを備え、前記第２の保持部材は、上側プレートを備え、前記上側及び下側プレートの少なくともどちらか一方には、中央部に凸部を持ち、その両側に上側及び下側プレートが相対する固定部を持ち、更に前記上側及び下側プレートの少なくともどちらか一方には、ケーブル支持部を持つことを特徴としたコネクタが得られる。
【００２３】
また、本発明によれば、前記コネクタにおいて、前記ケーブルはグランドを挟み持つことによって、前記保持部材と前記ケーブルとを機械的に保持し、かつ電気的に接続するようにしたことを特徴とするコネクタが得られる。
【００２４】
また、本発明によれば、前記コネクタにおいて、前記下側プレート又は上側プレートの中央部凸部に相対した反対側プレートの中央部が溝となっていることを特徴としたコネクタが得られる。
【００２５】
また、本発明によれば、前記コネクタにおいて、中央部に凸部を有する上側及び下側のいずれかのプレートに相対するもう一方のプレートが、左右独立して構成されていることを特徴としたコネクタが得られる。
【００２６】
さらに、本発明によれば、前記コネクタにおいて、前記第１の保持部材は、中央部に突状部を有し、突状部近傍の固定部間にケーブル逃げ部を有していることを特徴とするコネクタが得られる。ここれ、本発明のコネクタにおいて、前記ケーブル逃げ部は切り欠きからなることが好ましい。
【発明の効果】
【００２７】
本発明によれば、外部導体の固定に半田付けを使用しないためケーブルの屈曲性を損なうことがなくコネクタの直近くにおいても問題なく曲げることが可能であるコネクタを提供することができる。
【００２８】
また、本発明によれば、ハンダフローの場合のフラックスなどの絶縁物が付着することがないため洗浄工程など不要で安定して電気的に接触が可能であるコネクタを提供することができる。
【００２９】
また、本発明によれば、丸棒でのカシメ（ケーブルを潰す）及びケーブルを上下に蛇行するフォームにすることにより従来技術と同等にケーブル保持力が得られるコネクタを提供することができる。
【発明を実施するための最良の形態】
【００３０】
以下、本発明の実施の形態について図面を参照して説明する。
【００３１】
図１は本発明の第１の実施の形態によるコネクタの斜視図である。図２は図１のコネクタの断面図である。図３は図１のコネクタ本体を示す斜視図である。
【００３２】
図１乃至図３を参照すると、コネクタ１０１は、金属外郭部材である金属シェル３０と、コネクタ本体２５と、ケーブル整列部材１５とを備えている。
【００３３】
図２に最も良く示されるように、コネクタ本体２５は、インシュレータ２１を備えている。インシュレータ２１は、図２では下端となる側に、凹部２８ａ，２８ｂ、その間に突条部２８ｃを備えた相手側コネクタとの嵌合部２８を備え、また、一側に、ケーブル整列部材１５の一端が収容されるケーブル収容部２２とを備えている。また、インシュレータ２１には、ケーブル接触部２３ａと、コンタクト接触部２３ｃと、先端部２３ｂとを一体に備えた断面コ字形状によって、インシュレータ２１に保持されるコンタクト２３を備えている。
【００３４】
ケーブル収容部２２には、相手側コネクタとの嵌合部２８の凹部２８ｂまで、図２では水平方向に貫通した溝２２ａを備えている。コンタクト２３のケーブル接触部２３ａは、この溝２２ａに、装着されている。
【００３５】
図４は図１のコネクタのケーブル整列部材の金属プレートを示す斜視図である。図５はケーブル整列部材を示す斜視図である。図６は図５のケーブル整列部材のＡ部分の部分拡大斜視図である。図７は、図３のコネクタ本体２５に図５のケーブル整列部材１５を組込んだ状態を示す斜視図である。図８は図７のケーブル整列部材を装着したコネクタ本体２５への金属製外郭部品の装着の説明に供せられる斜視図である。
【００３６】
図４を参照すると、第１の保持部材として、金属プレート１０は、断面Ｌ字形状の本体１と、本体１に開口部４をなすように、切り込みをいれないで折り曲げるとともに、上部に延在して、突出した凸部（支持部）２と、同じく前方に向って湾曲した押さえ爪３とを備えている。押さえ爪３はコネクタの幅方向において一定のピッチ間隔で配置されている。なお、開口部４を形成せずに、突出した支持部２を設けても良い。
【００３７】
図５及び図６に示されるように、細線同軸ケーブル５０は、中心導体５１とその周りの絶縁部５２と、更にその周囲に外部導体５３、及びその周囲を覆う外皮部５４を備えている。その細線同軸ケーブル５０の一端付近は、夫々金属プレート１０と押さえ爪３との間に外部導体５３が挟み込まれて、若干潰される状態で装着される。更に、細線同軸ケーブル５０が整列して並んでいる方向で外部導体５３を押さえ爪３で押さえるように、第２の保持部材である金属丸棒１１が幅方向挿入されて同軸ケーブル５０の先端部が金属プレート１０の支持部２に整列されて機械的に且つ金属プレート１０と同軸ケーブル５０の外部導体５３と電気的に接続され、図２に最も良く示されるように、蛇行状に保持固定された状態のケーブル整列部材１５が形成される。従って、細線同軸ケーブル５０を蛇行状態に保持固定することで、ケーブルの保持力を高めている。
【００３８】
図５及び図６に示すケーブル整列部材１５を、図３に示すコネクタ本体２５のケーブル収容部２２に装着すると、図７に示す状態となる。ここで、図２に示すように、溝２２ａ内のコンタクト２３のケーブル接触部２３ａと、これに対応する同軸ケーブル５０の中心導体５１とが半田付け固定される。しかし、金属プレート１０とともにコネクタ本体に装着するので、中心導体５１を半田付け固定をしないで単に接触させるだけでも良い。本発明において、金属プレート１０及び金属丸棒１１は、細線同軸ケーブル５０を整列させ、保持するので、これらをまとめてケーブル保持部材と呼び、金属プレート１０を第１の保持部材もしくは、ケーブル保持部材の本体と呼ぶ。また、金属丸棒１１を第２の保持部材もしくは、ケーブル保持部材の棒部材と呼ぶ。さらに、金属プレート１０の押さえ爪３を固定部と呼ぶ。
【００３９】
図８に示すように、図７の状態のケーブル整列部材１５が装着されたコネクタ本体２５に、金属製外郭部材として金属シェル３０を装着する。ここで、金属シェル３０は、金属板のプレス加工品からなり、端部を折り返すことによって強度補強が図られるとともに、上面に前方には、切り込みによって形成されたバネ片３４と、両側にくの字形状の係合爪３３と、両側前方にＬ字形状の装着片３５、後方に当接片３６が設けられている。また、インシュレータ２１の両側付近には、金属プシェル３０の係合爪３３と係合する係合孔２６が夫々設けられ、また、前端は装着片３５が装着できるように、窪んだ装着部２７を備えている。係合爪３３と装着片２７とを、係合孔２６及び装着部２７に合わせて装着すると、図１に示すコネクタ１０１が完成する。
【００４０】
図２に示すように、ケーブル整列部材１５の金属プレート１０が収容孔２２の底面に密着するとともに、上部の押さえ爪３を金属シェル３０の板バネ３４で押さえられてさらに、金属シェル３０の前端が２重となるように折り曲げられているので、ケーブルの引き抜く方向の力に対しても十分に対応することができる。
【００４１】
図９は本発明の第２の実施の形態によるコネクタの断面図である。図９に示す本発明の第２の実施の形態によるコネクタ１０２は、図２等を用いて説明した本発明の第１の実施の形態によるコネクタ１０１とは金属シェル３０のケーブル収容孔２２側の端部が下方に伸びて押さえ片３２を形成していることが異なる他は同様の構成を有している。したがって、第１の実施の形態によるコネクタ１０１よりも、第２の実施の形態によるコネクタ１０２においては、蛇行の振幅が大きくなり、細線同軸ケーブル５０が抜けにくいという効果を備えている他は同様の効果を有する。
【００４２】
必要ケーブル本数分の爪を有した金属プレート１０に整線された細線同軸ケーブル５０を押さえ爪３の間にセットし、ピッチ方向に金属の丸棒１１を押さえ爪３で抑える様に通す。金属丸棒１１が細線同軸ケーブル５０を押さえることにより、細線同軸ケーブル５０の蛇行ケーブルが潰され金属プレート１０に保持される。また、金属プレート１０には、ピッチ方向に通して突条部である支持部２があり、細線同軸ケーブル５０が蛇行することによりコネクタにセットされた状態で、ケーブル保持力が得られる。
【００４３】
以上説明した本発明の第１及び第２の実施の形態によるコネクタにおいては、ケーブルとして細線同軸ケーブル５０を用いたが、同軸ケーブル、電線、フレキシブルフラットケーブル（ＦＦＣ）、フレキシブル配線基板（ＦＰＣ），フレキシブルリボンケーブル（ＦＲＣ）に対しても、装着部位が夫々の導体部分において独立しているならば、本発明に用いることができることは勿論である。
【００４４】
本実施の形態では、棒状部材として丸棒の場合について説明したが、楕円あるいは、四角、六角の多角形状であっても良い。
【００４５】
図１０は本発明の第１の実施の形態及び第２の実施の形態によるコネクタが嵌合する相手側コネクタを示す図で、（ａ）は基板の実装面側とは反対面側を示す斜視図、（ｂ）は実装面側から眺めた斜視図である。図１１は図１０（ａ）及び（ｂ）の相手側コネクタの分解組立斜視図である。ここで、説明の便宜上、コンタクトの端子部４１ｄが突出した部分をコネクタの正面もしくは前面、反対側を背面もしくは後面と呼ぶ。
【００４６】
図１０及び図１１を参照すると、相手側コネクタ１０５は箱形のインシュレータ４０と、インシュレータ４０に圧入保持される複数の相手側コンタクト４１と、回路基板等に実装するためのコの字形状の金具からなるホールドダウン４２とを備えている。インシュレータ４０は、前壁４０ｂ、後壁４０ａ、及び両側壁４０ｃとを備え、これらの壁部４０ａ，４０ｂ，４０ｃによって中央に開口４３を形成された略ロの字形状を有する。後壁４０ａの内側面には、縦方向に形成され、幅方向に等しいピッチで並んで溝４４が形成されている。また、前壁４０ｂには、前後方向中心部を上下に貫通するとともに、後壁の位置と同じ幅方向の位置に並んで、溝ピッチと等しい間隔で、貫通孔４６が設けられている。また、インシュレータ４０の底面には、溝４４及び貫通孔の下端を通るように、溝４７が前後方向に形成されて、この溝４７は幅方向に、先のピッチと等しい間隔で並んで設けられている。
【００４７】
相手側コンタクト４１は、コンタクト接触部４１ａと、圧入部４１ｃと、夫々の一端同士を結ぶ連結部４１ｂ及び連結部４１ｂから更に前方に延在する端子部４１ｄとを備えた、略Ｆ字形状である。相手側コンタクト４１は、コンタクト接触部４１ａが溝４４、圧入部４１ｃが孔４６内に図１１においては、底面側から圧入され、連結部４１ｂ及び端子部４１ｄが溝４７内に収容されるように装着される。
【００４８】
また、ホールドダウン４２は、略コの字形状をなし、インシュレータ４０の両側に夫々装着される。この相手側コネクタ１０５は、プリント基板等の基板に実装されて、端子部４１ｄを半田付けして固定されて用いられる。
【００４９】
図２及び図９に示したコネクタの嵌合部の中央の突条部２８ｃを開口４３に嵌合すると、コネクタのコンタクト２３のコンタクト接触部２３ｃと、相手側コンタクト４１のコンタクト接触部４１ａが接触して電気接続がなされる。
【００５０】
図１１に示した別体の吸着部品は、自動実装する際の吸着ノズルに吸着される部品で、相手側コネクタ１０５に着脱自在に装着されるものである。
【００５１】
以上説明した本発明のコネクタにおいては、相手側コネクタ１０５に嵌合されるコネクタ１０１，１０２について述べたが、本発明のケーブル整列部材１５を備えたコネクタは、上記実施の形態によるコネクタに限定されるものではなく、ケーブル整列部材の収容側とは異なる面にケーブル接続部、基板接続部を備えたものにも適用できることは言うまでもない。
【００５２】
図１２は本発明の第３の実施の形態によるコネクタの斜視図である。図１３は図１２のコネクタの断面図である。
【００５３】
図１２及び図１３を参照すると、コネクタ１０３は、金属外郭部材である金属シェル３０と、コネクタ本体２５と、下側金属プレート１２及び上側金属プレート１３とを備えたケーブル整列部材１５´とを備えている。
【００５４】
図１３に最も良く示されるように、コネクタ本体２５は、インシュレータ２１を備えている。インシュレータ２１は、図１３では下端となる側に、凹部２８ａ，２８ｂ、その間に突条部２８ｃを備えた相手側コネクタとの嵌合部２８を備え、また、一側に、ケーブル整列部材１５´の一端が収容されるケーブル収容部２２とを備えている。また、インシュレータ２１には、ケーブル接触部２３ａと、コンタクト接触部２３ｃと、先端部２３ｂとを一体に備えた断面コ字形状によって、インシュレータ２１に保持されるコンタクト２３を備えている。
【００５５】
ケーブル収容部２２には、相手側コネクタとの嵌合部２８の凹部２８ｂまで、図１３では水平方向に貫通した溝２２ａを備えている。コンタクト２３のケーブル接触部２３ａは、この溝２２ａに、装着されている。
【００５６】
また、シェル３０は、開口側が段をなして高くなった台３８を形成しており、正面側にて、前端は垂直に折れ曲がって、押さえ片３７を形成しているが、第２の実施の形態によるものよりも、その垂直方向の長さは短く形成されている点で第１及び第２の実施の形態とは異なっているが先に説明したように、ケーブル整列部材１５´の引き抜きを防止するという同様の効果を備えている。
【００５７】
図１４（ａ）は図１３のコネクタのケーブル整列部材１５´を示す斜視図である。図１４（ｂ）は図１３のコネクタのケーブル整列部材１５´の上側金属プレートを示す斜視図である。図１４（ｃ）は図１３のコネクタ整列部材の下側金属プレートを示す斜視図である。
【００５８】
図１４（ａ）を参照すると、ケーブル整列部材１５´は、下側金属プレート１２と上側金属プレート１３と、下側金属プレート１２と上側金属プレート１３との間にはさみこまれた細線同軸ケーブル５０とを備えている。ここで、下側金属プレート１２と上側金属プレート１３とをケーブル保持部材と呼び、その内の下側金属プレート１２を第１の保持部材と呼び、上側金属プレート１３を第２の保持部材と呼ぶ。
【００５９】
図示の例においては、細線同軸ケーブル５０の一端は外部導体５３が露出するように、外皮部５４が除かれた状態であって、絶縁部５２及び中心導体５１は露出していないが、ケーブル整列部材１５´とした後に、取り付けられた挟み込まれた細線同軸ケーブル５０よりもさらに先端部の外部導体５３及び絶縁部５２を順次除去して図１３に示すように、中心導体５１を露出させることも可能である。
【００６０】
図１４（ｂ）に示されるように、上側金属プレート１３は、天井部７ａとその両側に長さ方向に渡って設けられた溝７ｂを備え、この溝７ｂ形成によって裏側には、突出部８を備えた断面形状が台形の金属板から構成されている。
【００６１】
また、図１４（ｃ）に示されるように、下側金属プレート１２は、中央に長さ方向に沿って設けられた突条部５を備え、その両側には、逆Ｌ字形状でその先端部が互いに対向した押さえ爪６を夫々長さ方向に並んで複数備えている。
【００６２】
図１４（ａ）に図１３をも参照して、細線同軸ケーブル５０は、中心導体５１とその周りの絶縁部５２と、更にその周囲に外部導体５３、及びその周囲を覆う外皮部５４を備えている。その細線同軸ケーブル５０の一端付近は、夫々下側金属プレート１２の押さえ爪３の間に夫々の外部導体５３が挟み込まれて、これらの外部導体が若干潰される状態で、押さえ爪６をくぐらせながら上側金属プレート１３が装着される。その際に、押さえ爪６の先端は、上側金属プレートの両側上面に形成された溝７ｂ内に係合した状態で，上側金属プレートが長さ方向に摺動移動して、図１４に示した状態で保持され、外部導体５３は、突条部５及び突起部８とによって挟み込まれて接触し、機械的に且つ上下金属プレート１２，１３と細線同軸ケーブル５０の外部導体５３と電気的に接続され、図１３に最も良く示されるように、蛇行状に保持固定された状態のケーブル整列部材１５´が形成される。従って、細線同軸ケーブル５０を蛇行状態に保持固定することで、ケーブルの保持力を高めている。
【００６３】
図１３において、１２ａ、１３ａが固定部となり、１２ｂ，１３ｂがケーブル支持部となる。
【００６４】
図１４（ａ）に示すケーブル整列部材１５´を、図１３に示すコネクタ本体２５のケーブル収容部２２に装着すると、図１２に示す状態となる。ここで、図１３に示すように、溝２２ａ内のコンタクト２３のケーブル接触部２３ａと、これに対応する同軸ケーブル５０の中心導体５１とが半田付け固定される。しかし、上下金属プレート１２，１３とともにコネクタ本体２５に装着するので、中心導体５１を半田付け固定をしないで単に接触させるだけでも良い。
【００６５】
ここで、本発明において、上側及び下側金属プレート１３，１２は、細線同軸ケーブル５０を整列させ、保持するので、これらをまとめてケーブル保持部材と呼ぶ。さらに、下側金属プレート１２の押さえ爪６を固定部と呼ぶ。
【００６６】
図１５は図１３のコネクタのケーブル整列部材１５´の変形例である第４の実施の形態にケーブル整列部材を示す斜視図である。図１６（ａ）は図１５のコネクタのケーブル整列部材１５´の上側金属プレートを示す斜視図である。
【００６７】
図１６（ｂ）は、図１５のコネクタのケーブル整列部材１５´の上側金属プレートのさらなる変形例である第５の実施の形態による上側金属プレートを示す部分斜視図である。
【００６８】
図１５及び図１６（ａ）を参照すると、上側金属プレート１３Ａは、幅方向中央に、長さ方向に沿って溝１６が形成されている。この溝１６は、上側プレート１３Ａの一端寄りから他端寄りまで、両端が貫通していないが、厚み方向に貫通して設けられている。このような溝１６を設けることによって、細線同軸ケーブル５０の湾曲部の外側に逃げが生じるために、さらに、ケーブル５０の引き抜きを防止することができる。
【００６９】
さらに、図１６（ｂ）に示すように、この溝１６は、複数の連続した孔１７であっても良い。
【００７０】
図１７は図１３のコネクタのケーブル整列部材１５´のもう一つの変形例である第６の実施の形態にケーブル整列部材を示す斜視図である。図１８（ａ）は図１７のコネクタのケーブル整列部材１５´の上側金属プレートを示す斜視図である。図１８（ｂ）は、図１８（ａ）のコネクタのケーブル整列部材１５´の上側金属プレートを用いてケーブルを保持した状態を示す断面図である。
【００７１】
図１７及び図１８（ａ）及び１８（ｂ）を参照すると、上側金属プレート１３Ｂは、幅方向中央に、長さ方向に沿って溝が上側プレート１３Ｂの一端寄りから他端寄りまで、両端まで貫通した状態、即ち、２個の対称形状の半円筒部材１８として設けられている。このように、半円筒部材１８を設けることによって、図１６の例と同様に、細線同軸ケーブル５０が下側金属プレートの突条部に押し上げられ、湾曲部の外側に逃げが生じるために、細線同軸ケーブル５０の引き抜きを防止することができる。
【００７２】
このように、ケーブル整列部材１５´の下側金属プレート１２の突条部５がケーブル５０が下側に密着するとともに、上側金属プレート１３Ａ，１３Ｂの中央部に貫通孔もしくは溝を備えることによって、押さえ爪６が上側金属プレート１３Ａ，１３Ｂを下方に押さえられてさらに、金属シェル３０の前端が折り曲げられているので、ケーブルの引き抜く方向の力に対しても十分に対応することができる。
【００７３】
以上説明したように、本発明の第１乃至第４の実施の形態においては、半田を使用しないためケーブルの屈曲性を損なうことがなくコネクタの直近くにおいても問題なく曲げることが可能である。
【００７４】
また、本発明の第１乃至第４の実施の形態によれば、フラックスなどの絶縁物が付着することがないため洗浄工程など不要で安定して電気的に接触が可能である。
【００７５】
さらに、本発明の第１乃至第４の実施の形態によれば、ケーブル保持力についても丸棒でのカシメ（ケーブルを潰す）及びケーブルを上下に蛇行するフオームにすることにより従来技術と同等に得られる。
【００７６】
次に本発明の第５の実施の形態について説明する。
【００７７】
図１９は本発明の第５の実施の形態によるコネクタを示す斜視図、図２０は図１９のコネクタのケーブル整列部材を示す斜視図、図２１は図２０のケーブル整列部材の下側プレートを示す斜視図、図２２は図２０のケーブル整列部材の上側プレートを示す図、図２３はケーブルの圧着前を示す断面図、図２４はケーブルの圧着後の状態を示す断面図である。
【００７８】
図１９を参照すると、本発明の第５の実施の形態によるコネクタは、図１２及び図１３に示す第３の実施の形態によるコネクタとは、ケーブル整列部材の構造が異なる他は、ほぼ同様の構成を有している。即ち、コネクタ１０４は金属外郭部材である金属シェル３０と、コネクタ本体２５と、細線同軸ケーブル５０を第１の保持部材である下側金属プレート１２及び第２の保持部材である上側金属プレート１３とで挟み込んだケーブル整列部材１５´とを備えている。
【００７９】
図２０、図２１、及び図２２を参照すると、ケーブル整列部材１５´は、保持部材としての下側金属プレート１２及び上側金属プレート１３と、保持部材である下側金属プレート１２と上側金属プレート１３との間に、挟み込まれた細線同軸ケーブル５０とを備えている。
【００８０】
図２３及び図２４を参照すると、細線同軸ケーブル５０の一端は外部導体５３が露出するように、外皮部５４が除かれた状態であって、絶縁部５２及び中心導体５１は露出していないが、ケーブル整列部材１５´とした後に、取り付けられ挟み込まれた細線同軸ケーブル５０よりもさらに先端部の外部導体５３及び絶縁部５２を順次除去して、先の図１３に示すように、中心導体５１を露出させることも可能である。
【００８１】
図２２、図２３及び図２４に示されるように、上側金属プレート１３は、天井部７ａとの両側に長さ方向に渡って設けられた溝７ｂを備え、この溝７ｂ形成によって裏側には、突出部８を備えた断面形状が台形の金属板から構成されている。
【００８２】
また、図２１、図２３及び図２４に示されるように、下側金属プレート１２は、中央に長さ方向に沿って設けられた突条部５を備え、その両側には、逆Ｌ字形状でその先端部が互いに対向した押さえ爪６を夫々長さ方向に等ピッチで並んだ櫛歯形状をなして複数備えている。また、押さえ爪６間に切欠き部６ａを突条部５の両側に備えている。さらに、両側にコネクタに収容されるための支持片３７を備え、この支持片３７は、コネクタへの装着によってシェルと電気接続される構成となっている。
【００８３】
次に、本発明の第５の実施の形態によるケーブル整列部材１５´の作用について説明する。
【００８４】
図２３及び図２４を参照して、細線同軸ケーブル５０は、中心導体５１とその周りの絶縁部５２と、更にその周囲に外部導体５３、及びその周囲を覆う外皮部５４を備えている。その細線同軸ケーブル５０の一端付近は、夫々下側金属プレート１２の押さえ爪３の間に夫々の外部導体５３が挟み込まれて、これらの外部導体が若干潰される状態で、固定部をなす押さえ爪６をくぐらせながら、上方から上側金属プレート１３が装着される。その際に、押さえ爪６の先端は、開放した状態であるが、上側金属プレート１３によって下方に押し込まれると、互いにケーブルの長さ方向に対向する押さえ爪６の先端が互いに近接してその距離が狭まった状態、即ち、閉成した状態となり、上側金属プレート１３が両側上面に形成された溝７ｂ内に係合した状態で，上側金属プレートが長さ方向に摺動移動して、図２４に示した状態で保持され、外部導体５３は、突条部５及び突起部８とによって挟み込まれて接触し、機械的に且つ上下金属プレート１２，１３と細線同軸ケーブル５０の外部導体５３と電気的に接続され、図２４に最も良く示されるように、上側金属プレート１３の凸部８及びその間の凹部と、下側金属プレート１２の突条部５とによって、蛇行状に保持固定された状態のケーブル整列部材１５´が形成される。ここで、下側金属プレート１２の切り欠き６ａは、ケーブルの逃がし部となる。従って、細線同軸ケーブル５０を蛇行状態に保持固定することで、ケーブルの保持力を高めている。また、本発明の第５の実施の形態によるコネクタにおいては、第１の保持部材である下側金属プレート１２の中央の突条部５の両側に切り欠き６ａを設けることにより、第２の保持部材である上側金属プレート１３でケーブル５０を挟持したときにケーブルの逃げ部ができるため、下側金属プレート１２の中央の突条部５を基準として圧力を調整することで、加圧による芯線と外部導体のショートを軽減できる。
【００８５】
図２０に示すケーブル整列部材１５´を、コネクタ本体２５のケーブル収容部２２に装着すると、図１９に示す状態となる。その断面は、図１３に示すものと同様で、下側金属プレート１２の押さえ爪８と本体部のシェルの板バネと電気的に接続される。
【００８６】
以上説明した本発明の第５の実施の形態においては、第１の保持部材である下側金属プレート１２の形状は、左右に切り欠き６ａを設けることで、金属部材の加工を容易にすることができる。
【００８７】
また、コネクタ１０４は、グランド接続において、半田を用いないために、ケーブルの屈曲性に富んでいる。
【００８８】
また、コネクタは、グランド接続において、第１の保持部材における中央部の突条部５と第２の保持部材の中央部の凹部寸法を決めることで、外部導体と安定した接続を維持することができる。
【００８９】
また、前述した第３及び第４の実施の形態によるコネクタにおいて、整列された複数の細線同軸ケーブル５０を挟持するのに、下側金属プレート１２の中央左右側が凹部形状となっているため、上側金属プレート１３でケーブルを挟持したとき、同軸ケーブルを過圧してしまい、外部導体と芯線とがショートしてしまうおそれがあった。
【００９０】
しかしながら、本発明の第５の実施の形態による本コネクタは、所定のピッチ形状に配列された複数本の同軸ケーブルの外皮部が切除された外部導体露出部が、ケーブル整列保持部を持った第１の保持部材１２で整列され、第２の保持部材１３でケーブルを挟持し、一括グランド接続することができる。
【００９１】
また、半田付けによるグランド接続では、半田上がりにより外部導体の破断がおこり、ケーブルの屈曲性を損なうとともに、従来の半田付けによるグランド接続では、フラックスの使用による接続不良が発生し易いという欠点があったが、本発明の実施の形態によれば、下側金属プレート１２に切り欠き６ａによるケーブルの逃げ部を設けたので、半田上がりやフラックスの付着による接触不良がなく、細線同軸ケーブルを確実に保持し、かつ電気的に接続することができる構造を備えたコネクタを提供することができる。
【産業上の利用可能性】
【００９２】
本発明に係るコネクタは、電気・電子機器へのケーブル等の接続に適用される。
【図面の簡単な説明】
【００９３】
【図１】本発明の第１の実施の形態によるコネクタの斜視図である。
【図２】図１のコネクタの断面図である。
【図３】図１のコネクタ本体を示す斜視図である。
【図４】図１のコネクタのケーブル整列部材の金属プレートを示す斜視図である。
【図５】ケーブル整列部材を示す斜視図である。
【図６】図５のケーブル整列部材のＡ部分の部分拡大斜視図である。
【図７】図３のコネクタ本体２５に図５のケーブル整列部材を組込んだ状態を示す斜視図である。
【図８】図７のケーブル整列部材を装着したコネクタ本体への金属製外郭部品の装着の説明に供せられる斜視図である。
【図９】本発明の第２の実施の形態によるコネクタの断面図である。
【図１０】本発明の第１の実施の形態及び第２の実施の形態によるコネクタが嵌合する相手側コネクタを示す図で、（ａ）は基板の実装面側とは反対面側を示す斜視図、（ｂ）は実装面側から眺めた斜視図である。
【図１１】図１０（ａ）及び（ｂ）の相手側コネクタの分解組立斜視図である。
【図１２】本発明の第３の実施の形態によるコネクタの斜視図である。
【図１３】図１２のコネクタの断面図である。
【図１４】（ａ）は図１３のコネクタのケーブル整列部材１５´を示す斜視図、（ｂ）は図１３のコネクタのケーブル整列部材１５´の上側金属プレートを示す斜視図、（ｃ）は図１３のコネクタ整列部材の下側金属プレートを示す斜視図である。
【図１５】図１３のコネクタのケーブル整列部材１５´の変形例である第４の実施の形態にケーブル整列部材を示す斜視図である。
【図１６】（ａ）は図１５のコネクタのケーブル整列部材１５´の上側金属プレートを示す斜視図、（ｂ）は、図１５のコネクタのケーブル整列部材１５´の上側金属プレートのさらなる変形例である第５の実施の形態による上側金属プレートを示す部分斜視図である。
【図１７】図１３のコネクタのケーブル整列部材１５´のもう一つの変形例である第６の実施の形態にケーブル整列部材を示す斜視図である。
【図１８】（ａ）は図１７のコネクタのケーブル整列部材１５´の上側金属プレートを示す斜視図、（ｂ）は（ａ）のコネクタのケーブル整列部材１５´の上側金属プレートを用いてケーブルを保持した状態を示す断面図である。
【図１９】本発明の第５の実施の形態によるコネクタを示す斜視図である。
【図２０】図１９のコネクタのケーブル整列部材を示す斜視図である。
【図２１】図２０のケーブル整列部材の下側プレートを示す斜視図である。
【図２２】図２０のケーブル整列部材の第１の保持部材としての上側プレートを示す図である。
【図２３】図１９のコネクタの保持部材によるケーブルの圧着前を示す断面図である。
【図２４】図１９のコネクタの保持部材のケーブルの圧着後の状態を示す断面図である。
【図２５】従来の同軸ケーブルコネクタの一例を示す斜視図である。
【図２６】従来の他の例によるケーブルコネクタを示す図である。
【図２７】同軸ケーブル５０にグランドバー８８を設けた状態を示す側面図である。
【符号の説明】
【００９４】
１    本体
２    支持部
３，６    押さえ爪
４    開口部
５    突条部
６ａ    切欠き部
７ａ    天井部
７ｂ    溝
８    突起部（凸部）
１０    金属プレート
１１    金属丸棒
１２    第１の保持部材（下側金属プレート）
１３，１３Ａ，１３Ｂ    第２の保持部材（上側金属プレート）
１５，１５´    ケーブル整列部材
１６    溝
１８    半円筒部材
２１    インシュレータ
２２    ケーブル収容部
２５    コネクタ本体
３７    支持片
２２ａ    溝
２３    コンタクト
２３ａ    ケーブル接触部
２３ｂ    先端部
２３ｃ    コンタクト接触部
２５    コネクタ本体
２６    係合孔
２７    装着部
２８ａ，２８ｂ    凹部
２８ｃ    突条部
３０    金属シェル
３２    押さえ片
３３    係合爪
３４    板バネ
３５    装着片
３６    当接片
４０    インシュレータ
４０ｂ    前壁
４０ａ    後壁
４０ｃ    両側壁
４１    コンタクト
４１ａ    コンタクト接触部
４１ｂ    連結部
４１ｃ    圧入部
４１ｄ    端子部
４２    ホールドダウン
４３    開口
４４    溝
４６    貫通孔
４７    溝
５０    細線同軸ケーブル
５１    中心導体（芯線）
５２    絶縁部
５３    外部導体（シールド線）
５４    被覆部（外皮部）
６２〜６５    端子部
６６    端子列状配置部材
７２〜７５    同軸ケーブル
７２ａ〜７５ａ    端末
７２ｂ〜７５ｂ    各外部導体
７２ｄ〜７５ｄ    外被部
８２    コンタクト
８２ａ    接触部
８２ｂ    接続部
８３    インシュレータ
８３ａ    凹所
８３ｂ    係合凸部
８４    シェル
８５    第１のシェル部品
８６    第２のシェル部品
８７    保持部
８８    グランドバー
１０１    コネクタ
１０２    コネクタ
１０４    コネクタ
１０５    相手側コネクタ
１１０    同軸ケーブル用コネクタ
１１１    ケーブル用コネクタ
【図１】
2006049261.tif 000003
【図２】
2006049261.tif 000004
【図３】
2006049261.tif 000005
【図４】
2006049261.tif 000006
【図５】
2006049261.tif 000007
【図６】
2006049261.tif 000008
【図７】
2006049261.tif 000009
【図８】
2006049261.tif 000010
【図９】
2006049261.tif 000011
【図１０】
2006049261.tif 000012
【図１１】
2006049261.tif 000013
【図１２】
2006049261.tif 000014
【図１３】
2006049261.tif 000015
【図１４】
2006049261.tif 000016
【図１５】
2006049261.tif 000017
【図１６】
2006049261.tif 000018
【図１７】
2006049261.tif 000019
【図１８】
2006049261.tif 000020
【図１９】
2006049261.tif 000021
【図２０】
2006049261.tif 000022
【図２１】
2006049261.tif 000023
【図２２】
2006049261.tif 000024
【図２３】
2006049261.tif 000025
【図２４】
2006049261.tif 000026
【図２５】
2006049261.tif 000027
【図２６】
2006049261.tif 000028
【図２７】
2006049261.tif 000029